(57)【要約】      （修正有）【課題】航空機用のオプションを管理するための方法及び装置を提供する。【解決手段】航空機に対して選択されたオプションが受取られる。任意の数のエンジニアリングオプション１３２は、選択されたオプション１３４に対して特定される。任意の数のエンジニアリングオプションは、航空機用のオプションに対するエンジニアリングオプションを含む。エンジニアリングオプションの中の１つのエンジニアリングオプション１３６は、航空機１０２の認証済み設計１３９の耐空性に付随する一連の規制１４０を満たす認証済みの設計である。リソースに関連する任意の数のエンジニアリングオプションを含む最終設計１６０であって、該最終設計は、選択されたオプション１４２に関して航空機オプションデータベース１２６内で特定される任意の数のエンジニアリングオプションを使用して生成される、航空機内で選択されたオプションを構築するためのものである。【選択図】図１
2013126865.tif 000002
【特許請求の範囲】
【請求項１】
航空機用のオプション（１３４）に対するエンジニアリングオプション（１３２）を含む航空機オプションデータベース（１２６）であって、前記エンジニアリングオプション内の１つのエンジニアリングオプション（１３６）は、航空機（１０２）の認証済み設計（１３９）の耐空性に付随する一連の規制（１４０）を満たす認証済み設計（１３９）である航空機オプションデータベースと、
航空機オプションデータベース（１２６）に結合され、航空機（１０２）に対して選択されたオプション（１４２）を受取り、選択されたオプション（１４２）に対する航空機オプションデータベース（１２６）内のエンジニアリングオプション（１３２）から任意の数のエンジニアリングオプション（１４４）を特定するように構成された航空機コンフィギュレータ（１２８）と、
航空機コンフィギュレータ（１２８）に結合され、リソース（１５２）に関連する任意の数のエンジニアリングオプション（１４４）を含む最終設計（１６０）を作成するように構成されたコンフィギュレーションジェネレータ（１３０）であって、前記最終設計（１６０）は、選択されたオプション（１４２）に対する航空機コンフィギュレータ（１２８）によって航空機オプションデータベース（１２６）内に特定される任意の数のエンジニアリングオプション（１４４）を使用して、航空機（１０２）内に選択されたオプションを構築するためのものであるコンフィギュレーションジェネレータと
を含む、航空機カスタマイゼーションシステム。
【請求項２】
航空機（１０２）に対してオプションを選択するユーザー入力（１１８）を受取り、選択されたオプション（１４２）を形成し、航空機コンフィギュレータ（１２８）に前記選択されたオプション（１４２）を送るように構成されている航空機カスタマイザ（１１０）をさらに含む、
請求項１に記載の航空機カスタマイゼーションシステム。
【請求項３】
前記コンフィギュレーションジェネレータ（１３０）は、選択されたオプション（１４２）に対して航空機コンフィギュレータ（１２８）によって航空機オプションデータベース（１２６）内に特定された任意の数のエンジニアリングオプション（１４４）を使用して、前記航空機（１０２）内に選択されたオプション（１４２）を構築するためのドキュメント（１４６）を作成するように構成されており、前記ドキュメント（１４６）が作業明細書、製造作業明細書、組立指示書、及び部品表のうちの１つから選択される、請求項１又は２に記載の航空機カスタマイゼーションシステム。
【請求項４】
前記エンジニアリングオプション（１３２）が、前記オプション（１３４）に関する航空機（１０２）内のアセンブリに対する認証済み設計（３１４）であって、前記選択されたオプション（１４２）が調理室、乗務員用座席、モニュメント、旅客用座席、着陸装置、及びエンジンのうちの少なくとも１つから選択される、請求項１〜３のいずれか一項に記載の航空機カスタマイゼーションシステム。
【請求項５】
前記選択されたオプション（１４２）が製造業者（１０８）の顧客（１０６）及び製造業者（１０８）のうちの１つによって選択されており、前記オプション（１３４）は前記航空機（１０２）のゾーン（１４８）に関連しており、且つ前記任意の数のエンジニアリングオプション（１４４）は前記選択されたオプション（１４２）が配置されている前記ゾーン（１４８）内の１つのゾーン（１５０）に基づいて特定される、請求項１〜４のいずれか一項に記載の航空機カスタマイゼーションシステム。
【請求項６】
航空機（１０２）に対するオプション（１３４）を管理する方法であって、
前記航空機（１０２）に対して選択されたオプション（１４２）を受取るステップと、
前記選択されたオプション（１４２）に対して任意の数のエンジニアリングオプション（１４４）を特定するステップであって、前記任意の数のエンジニアリングオプション（１４４）は前記航空機（１０２）用の前記オプション（１３４）に対するエンジニアリングオプション（１３２）を含む航空機オプションデータベース（１２６）の中にあり、前記エンジニアリングオプション（１３２）内の１つのエンジニアリングオプション（１３６）は前記航空機（１０２）の前記認証済み設計（１３９）の耐空性に付随する一連の規制（１４０）を満たす認証済み設計（１３９）であるステップと、
リソース（１５２）に関連する任意の数のエンジニアリングオプション（１４４）を含む最終設計（１６０）を作成するステップであって、前記最終設計（１６０）は、前記選択されたオプション（１４２）に対して前記航空機オプションデータベース（１２６）内で特定される任意の数のエンジニアリングオプション（１４４）を使用して、前記航空機（１０２）内に前記選択されたオプション（１４２）を構築するためのものであるステップと
を含む方法。
【請求項７】
前記選択されたオプション（１４２）を形成するため、前記航空機（１０２）に対してオプションを選択するユーザー入力（１１８）を受取るステップをさらに含む、請求項６に記載の方法。
【請求項８】
前記選択されたオプション（１４２）に対して航空機オプションデータベース（１２６）内に特定された前記任意の数のエンジニアリングオプション（１４４）を使用して、前記航空機（１０２）内に選択されたオプション（１４２）を構築するためのドキュメント（１４６）を作成するステップをさらに含み、前記ドキュメント（１４６）は作業明細書、製造作業明細書、組立指示書、及び部品表のうちの１つから選択される、請求項６又は７に記載の方法。
【請求項９】
前記エンジニアリングオプション（１３２）が、前記オプション（１３４）に関する航空機（１０２）内のアセンブリに対する認証済み設計（３１４）であって、前記選択されたオプション（１４２）が調理室、乗務員用座席、モニュメント、旅客用座席、着陸装置、及びエンジンのうちの少なくとも１つから選択される、請求項６〜８のいずれか一項に記載の方法。
【請求項１０】
前記オプション（１３４）が前記航空機（１０２）内のゾーン（１４８）に関連しており、且つ
前記任意の数のエンジニアリングオプション（１４４）が、前記選択されたオプション（１４２）が位置している前記ゾーン（１４８）内の１つのゾーン（１５０）に基づいて特定される、請求項６〜９のいずれか一項に記載の方法。
【発明の詳細な説明】
【技術分野】
【０００１】
本発明は概して航空機に関し、具体的には航空機の設計及び製造に関する。さらに具体的には、本発明は顧客の航空機をカスタマイズするための方法及び装置に関する。
【背景技術】
【０００２】
顧客によって購入される航空機は様々なコンフィギュレーションを有することがある。顧客が特定のモデルの航空機を購入する場合には、当該モデルは顧客が選択しうる種々のバージョンを有することがある。例えば、顧客は当該モデルの航空機の旅客用バージョン及び貨物用バージョンから選択することができる。別の例として、特定のモデルは旅客用に設計された幾つかの異なるバージョンを有することがある。旅客機を探している顧客は、当該モデルの航空機について種々の旅客用バージョンから選択することができる。
【０００３】
航空機のモデルとバージョンを選択した後、顧客はまた選択した航空機モデルの特定のバージョンをカスタマイズしてもよい。例えば、顧客が航空機の旅客用バージョンを選択する場合、顧客はまたその航空機の当該バージョンに対して種々のオプションを選ぶこともできる。例えば、顧客は調理室、トイレ、乗務員用座席、旅客用座席、着陸装置、エンジン、及び他の好適なオプションを選ぶことができる。
【０００４】
選択されたオプションに応じて、顧客が選択したこれらのオプションに対して設計が行われる。例えば、トイレに関しては、顧客は当該航空機に設置されるトイレの数、トイレの位置、トイレ用の種々の機能を選択するオプションを有することができる。顧客が選択する機能の中には、例えば、限定しないが、色、質感、液体石鹸供給システム、乳幼児用テーブル、及びトイレ用のその他の機能が含まれることがある。
【０００５】
オプションの選択により、顧客が選択したオプションに対して設計が行われる。オプションに対する設計は、当該オプションが飛行に適していることを保証するための処理に通される。すなわち、当該オプションが航空機の耐空性を管理する規制を満たすことの認証を得るために引き続き処理が行われる。
【０００６】
例えば、連邦航空局（ＦＡＡ）は、航空機の耐空性を認証するための規制の普及に努めている。これらの要件には、航空機の設計の認証が含まれる。これらの設計には、顧客が選択したオプションに対する設計が含まれる。顧客が選択したオプションを認証するためのこの処理は、所望以上に長い時間を要することがある。
【０００７】
その結果、認証に要する時間が、顧客への航空機の納入に遅延をもたらすことがある。さらに、顧客が選択したオプションに対する認証処理に使われる時間と機器は、顧客用の航空機の製造コストを増大させることもある。
【０００８】
したがって、航空機内に顧客が選択したオプションがある場合には、航空機の製造に必要となる時間を低減するための方法及び装置を有することが望ましいであろう。
【発明の概要】
【０００９】
１つの例示的な実施形態では、航空機カスタマイゼーションシステムは、航空機オプションデータベース、航空機オプションデータベースに結合された航空機コンフィギュレータ、及び航空機コンフィギュレータに結合されたコンフィギュレーションジェネレータを含む。航空機オプションデータベースは、航空機のオプション用のエンジニアリングオプションを含む。エンジニアリングオプションの中の１つのエンジニアリングオプションは、航空機の認証済み設計の耐空性に付随する一連の規制を満たす認証済みの設計である。航空機コンフィギュレータは、航空機に対して選択されたオプションを受取り、選択されたオプションに対するオプションデータベース内のエンジニアリングオプションの中から任意の数のエンジニアリングオプションを特定するように構成されている。コンフィギュレーションジェネレータは、リソースに関連する任意の数のエンジニアリングオプションを含む最終設計を作成するように構成されており、当該の最終設計は、選択されたオプションに対して航空機コンフィギュレータによって航空機オプションデータベース内に特定される任意の数のエンジニアリングオプションを使用して、航空機内に選択されたオプションを構築するためのものである。
【００１０】
別の例示的な実施形態では、輸送機カスタマイゼーションシステムは、データベース、輸送機コンフィギュレータ、及びコンフィギュレーションジェネレータを含む。データベースは輸送機用のオプションに対する認証済みの設計を含む。データベース内の認証済みの設計は、輸送機で認証済み設計を使用する際の一連の規制を満たしている。輸送機コンフィギュレータは、輸送機に対して選択されたオプションを受取り、選択されたオプションに対するデータベース内のエンジニアリングオプションの中から任意の数のエンジニアリングオプションを特定するように構成されている。コンフィギュレーションジェネレータは、リソースに関連する任意の数のエンジニアリングオプションを含む最終設計を作成するように構成されており、当該の最終設計は、選択されたオプションに対してデータベース内に特定される任意の数の認証済み設計を使用して、輸送機内に選択されたオプションを構築するためのものである。
【００１１】
さら別の例示的な実施形態では、航空機に対するオプションを管理する方法が提供される。航空機に対して選択されたオプションが受取られる。任意の数のエンジニアリングオプションは、選択されたオプションに対して特定される。任意の数のエンジニアリングオプションは、航空機用のオプションに対するエンジニアリングオプションを含む。エンジニアリングオプションの中の１つのエンジニアリングオプションは、航空機の認証済み設計の耐空性に付随する一連の規制を満たす認証済みの設計である。リソースに関連する任意の数のエンジニアリングオプションを含む最終設計であって、該最終設計は、選択されたオプションに関して航空機オプションデータベース内で特定される任意の数のエンジニアリングオプションを使用して生成される、航空機内で選択されたオプションを構築するためのものである。
【００１２】
特徴及び機能は、本発明の様々な実施形態で独立に実現することが可能であるか、以下の説明及び図面を参照してさらなる詳細が理解されうる、さらに別の実施形態で組み合わせることが可能である。
【００１３】
例示的な実施形態の特徴と考えられる新規の機能は、添付の特許請求の範囲に明記される。しかしながら、例示的な実施形態と、好ましい使用モードと、さらにはその目的及び特徴とは、添付図面を参照して本発明の例示的な実施形態の後述の詳細な説明を読むことにより最もよく理解されるであろう。
【図面の簡単な説明】
【００１４】
【図１】例示的な実施形態によるコンフィギュレーション環境のブロック図を示している。
【図２】例示的な実施形態による航空機カスタマイゼーションシステムのブロック図を示している。
【図３】例示的な実施形態によるエンジニアリングオプションのブロック図を示している。
【図４】例示的な実施形態による航空機のモニュメントのゾーンを示している。
【図５】例示的な実施形態による航空機の設計及び製造のプロセスのフロー図を示している。
【図６】例示的な実施形態による航空機のオプション管理のプロセスのフロー図を示している。
【図７】例示的な実施形態によるエンジニアリングオプションを特定するためのプロセスのフロー図を示している。
【図８】例示的な実施形態によるデータ処理システムを示している。
【図９】例示的な実施形態による航空機の製造及び保守の方法を示している。
【図１０】例示的な実施形態が実装されうる航空機を示している。
【発明を実施するための形態】
【００１５】
種々の例示的な実施形態は、一又は複数の検討事項を認識し、且つ考慮している。例えば、種々の例示的な実施形態は、現在のところオプションが選択されるたびに、当該オプションに対して新しい設計が作成されることを認識し、且つ考慮している。種々の例示的な実施形態は、オプションが選択されるごとに新しい設計を作成すると、航空機で使用される新しい設計の認証が必要になることを認識し、且つ考慮している。
【００１６】
例示的な実施形態は、オプションに対して認証済みの決められた数の設計を作成することで、顧客が選択したオプションを有する航空機の製造に必要となる時間を低減できることを認識し、且つ考慮している。例えば、例示的な実施形態は、ある設計がはじめて使用される航空機で当該設計の耐空性に関連する一連の規制が満たされる場合、顧客によって選択されるオプションに対する設計が認証されうることを認識し、且つ考慮している。この設計は当該オプションが次回選択されたときに使用するよう保存することができる。
【００１７】
顧客に提供されるオプションに対して、このような認証済みの設計の集まりを作成することができる。その結果、このようなオプションを顧客が選択することによって、航空機の製造及び顧客への納品に要する時間を短縮することができる。
【００１８】
１つの例示的な実施形態では、航空機カスタマイゼーションシステムは航空機オプションデータベース、航空機コンフィギュレータ、及びドキュメントジェネレータを含む。航空機オプションデータベースは、航空機のオプション用のエンジニアリングオプションを含む。エンジニアリングオプションの中の１つのエンジニアリングオプションは、航空機の設計の耐空性に付随する一連の規制を満たす事前設計を含む。
【００１９】
航空機コンフィギュレータは、航空機に対して選択されたオプションを受取り、選択されたオプションに対する航空機オプションデータベース内のエンジニアリングオプションの中の任意の数のエンジニアリングオプションを特定するように結合されている。コンフィギュレーションジェネレータは、航空機コンフィギュレータと結合しており、選択されたオプションに対する航空機オプションデータベース内で特定される任意の数のエンジニアリングオプションを使用して、航空機内に選択されたオプションを構築するためのドキュメントを作成するように構成されている。
【００２０】
ここで図面、特に図１を参照すると、例示的な実施形態によるコンフィギュレーション環境のブロック図が図解されている。図示されているように、製造環境１００は航空機１０２の製造に使用される。航空機１０２は顧客１０６によって選択された任意の数のオプション１０４を有する。例示的な実施形態により航空機１０２を顧客１０６のために製造するとき、任意の数のオプション１０４を航空機１０２に組み込むことができる。これにより、航空機１０２は顧客１０６への納品物となる。
【００２１】
これらの例示的な実施例では、顧客１０６は任意の数のオプション１０４を選択するため、顧客１０６は製造業者１０８と共同で作業してもよい。本明細書で使用されているように、アイテムに関連して「任意の数の」を使用した場合には、一又は複数のアイテムを意味する。例えば、「任意の数のオプション１０４」は、一又は複数のオプションとなる。
【００２２】
これらの例示的な実施例では、任意の数のオプション１０４は航空機マネージャ１１２の航空機カスタマイザ１１０を使用して選択することもできる。航空機カスタマイザ１１０はグラフィカルユーザーインターフェース１１４を含む。グラフィカルユーザーインターフェース１１４は、航空機１０２及び任意の数のオプション１０４に関する情報を表示するように構成されている。加えて、グラフィカルユーザーインターフェース１１４はまた、航空機１０２に対して任意の数のオプション１０４を選択するためユーザー入力１１８を受取るように構成されている。ユーザー入力１１８は、具体的な実装に応じて、顧客１０６又は製造業者１０８によって入力されうる。
【００２３】
これらの例示的な実施例では、航空機マネージャ１１２はまた、航空機オプションデータベース１２６、航空機コンフィギュレータ１２８、及びコンフィギュレーションジェネレータ１３０を含むことがある。これらのコンポーネントはまた、ハードウエア、ソフトウエア、またはその２つの組み合わせで実装することができる。この実施例で図示されているように、これらのコンポーネントはコンピュータシステム１２０内に実装される。
【００２４】
航空機オプションデータベース１２６は、航空機１０２に対して選択されうるオプション１３４のためのエンジニアリングオプション１３２を含む。この例示的な実施例では、選択されたオプション１４２は、顧客１０６によって選択された任意の数のオプション１０４の中の１つのオプションである。この例示的な実施例では、エンジニアリングオプション１３２の中の１つのエンジニアリングオプション１３６はオプション１３４の中の選択されたオプション１４２に関連している。選択されたオプション１４２は航空機１０２用のコンポーネントのアセンブリである。これらの例示的な実施例では、選択されたオプション１４２は、調理室、乗務員用座席、トイレ、旅客用座席、着陸装置、エンジン、及び他の好適なオプションのうちの少なくとも１つから選択される。
【００２５】
図示されているように、エンジニアリングオプション１３６は設計１３８を含む。設計１３８は、選択されたオプション１４２を構築するために必要となる情報の一部またはすべてを含んでいてもよい。
【００２６】
図示されているように、設計１３８は航空機１０２に選択されたオプションを構築するために必要となる情報をすべて含む。設計１３８は、例えば、限定しないが、二次元モデル、三次元モデル、寸法、識別材料、規制、注意事項、及び他の好適な情報を含むことがある。設計１３８は、情報を含む単一のファイル又は複数のファイルから成ることがある。
【００２７】
本明細書で使用しているように、列挙されたアイテムと共に使用される「〜のうちの少なくとも１つ」という表現は、列挙されたアイテムの一又は複数の様々な組み合わせが使用可能であり、且つ列挙されたアイテムのいずれかが１つだけあればよいということを意味する。例えば、「アイテムＡ、アイテムＢ、及びアイテムＣのうちの少なくとも１つ」は、例えば、限定しないが、「アイテムＡ」、又は「アイテムＡとアイテムＢ」を含む。この例は、「アイテムＡとアイテムＢとアイテムＣ」、又は「アイテムＢとアイテムＣ」も含む。
【００２８】
他の例では、「〜のうちの少なくとも１つ」は、例えば、限定しないが、「２個のアイテムＡ、１個のアイテムＢ、及び１０個のアイテムＣ」、「４個のアイテムＢ及び７個のアイテムＣ」、さらに他の好適な組み合わせであってもよい。
【００２９】
これらの例示的な実施例では、設計１３８は航空機１０２に対する一連の規制１４０を満たす設計である。具体的には、設計１３８は航空機１０２の設計１３８の耐空性に付随する一連の規制１４０を満たす設計である。すなわち、設計１３８はこれらの例示的な実施例の認証済み設計１３９である。
【００３０】
図示されているように、エンジニアリングオプション１３２のすべては認証済みの設計から成る。言うまでもなく、幾つかの例示的な実施例では、エンジニアリングオプション１３２の一部は、具体的な実装によっては、認証済みでなくてもよい。
【００３１】
これらの例示的な実施例では、一連の規制１４０は一又は複数の規則である。これらの規則は一又は複数のソースからのものであってもよい。例えば、一連の規制１４０は、航空機１０２で使用される設計の耐空性に関して、連邦航空局によって公表された規則であってもよい。他の例示的な実施例では、一連の規制１４０は他の機関、国、または組織体の規則であってもよい。例えば、一連の規制１４０は政府機関及び製造業者１０８を含むことがある。
【００３２】
コンフィギュレーションジェネレータ１３０は選択されたオプション１４２を受取るように構成されている。航空機コンフィギュレータ１２８は航空機オプションデータベース１２６に結合されている。航空機コンフィギュレータ１２８はまた、選択されたオプション１４２に対する航空機オプションデータベース１２６内の任意の数のエンジニアリングオプション１４４を特定するように構成されている。
【００３３】
本明細書で使用されているように、アイテムを参照するときに使用される「結合している」は、アイテムが互いに通信を行っていることを意味する。これらのコンポーネントは、有線通信リンク、光通信リンク、無線通信リンク、共有メモリ、ネットワーク、ローカルエリアネットワーク、インターネット、及びアイテム間の通信を可能にする他の好適なタイプの媒体のうちの少なくとも１つから選択される媒体を介して互いに通信を行うことがある。通信は一方向又は双方向であってもよい。例えば、航空機コンフィギュレータ１２８は、航空機オプションデータベース１２６に結合されているとき、航空機オプションデータベース１２６と通信を行っている。
【００３４】
これらの例示的な実施例では、オプション１３４のエンジニアリングオプション１３４はゾーン１４８に関連することがある。すなわち、一又は複数のエンジニアリングオプション１３２は、ゾーン１４８の各ゾーンに割り当てられることがある。ゾーン１４８は航空機１０２内の領域である。ゾーン１４８は、具体的な実装に応じて二次元又は三次元になる。ゾーン１４８はオプション１３４の選択の一部として選択されることがある。オプション１３４に対して選択されたゾーン１４８に基づいて、エンジニアリングオプション１３２の中の適用可能なエンジニアリングオプションが選択可能である。
【００３５】
例えば、ゾーン１４８の中のゾーン１５０は選択されたオプション１４２に対して選択される。ゾーン１５０の中の選択されたオプション１４２に基づいて、エンジニアリングオプション１３６は選択されたオプション１４２に対して特定される。ゾーン１５０以外の異なるゾーンが選択される場合には、具体的な実装に応じて、エンジニアリングオプション１３６以外の種々のエンジニアリングオプションが使用される。
【００３６】
これらの例示的な実施例では、ゾーン１４８は、リソース１５２がオプション１３４に対して利用可能となるように定義される領域となる。リソース１５２は、物理的な連結点１５４、ユーティリティ１５６、データ１５８、及び他の好適なリソースのうちの少なくとも１つを含むことがある。物理的な連結点１５４は、選択されたオプション１４２に対するコンポーネントが航空機１０２に取り付けられる点である。ユーティリティ１５６は、例えば、限定しないが、電力、空気、油圧用作動油、及び他の好適なユーティリティのうちの少なくとも１つを含むことがある。データ１５８は選択されたオプション１４２に対して必要となるデータへのアクセスであってもよい。エンジニアリングオプション１３６用のコンポーネントにリソース１５２を連結するインターフェースは、ゾーン１４８の中のゾーン１５０などのように、ゾーンの選択に基づいている。
【００３７】
コンフィギュレーションゲネレータ１３０は、選択されたオプション１４２に対して航空機オプションデータベース１２６の中に特定される任意の数のエンジニアリングオプション１４４を使用して、航空機１０２の中に選択されたオプション１４２を構築するためのドキュメント１４６を作成するように構成されている。すなわち、ドキュメント１４６は、航空機１０２の中に選択されたオプション１４２を製造するために必要となる情報を含む。例えば、ドキュメント１４６は最終設計１６０を含むことがある。他の例示的な実施例では、ドキュメント１４６は二次元図面、三次元図面、必要となる材料の特定、材料の製造に使用されるプロセス、組立説明書、検査説明書、並びに最終設計１６０に加えて及び／又は代わりに、航空機１０２に選択されたオプション１４２を構築するために必要となる他の好適なタイプの情報を含むことがある。
【００３８】
ドキュメント１４６は様々な形態とりうる。例えば、ドキュメント１４６は、作業明細書、提案書、入札書、製造指示書、及び他の好適なタイプのドキュメントであってもよい。ドキュメント１４６が作業明細書の形態をとる場合、このドキュメントはタスク、納品物、タイムライン、コスト、規制及び管理に関する諸条件、及び他の情報を定義することができる。より具体的には、ドキュメント１４６が作業明細書である場合には、ドキュメント１４６はオプションの製造で使用するために作成される製造作業明細書であってもよい。これらの例示的な実施例では、ドキュメント１４６はまた、航空機１０２の一部の他のオプションに関する情報を含むこともある。すなわち、ドキュメント１４６は、具体的な実装に応じて、航空機１０２のすべてに対する製造作業指示書となることがある。ドキュメント１４６が航空機１０２を製造するための最終設計１６０である場合には、最終設計１６０はエンジニアリングオプション１３６を含むことがある。最終設計１６０は、エンジニアリングオプション１３６用のリソース１５２に関連するエンジニアリングオプション１３６を含むことがある。リソースは、エンジニアリングオプション１３６に対して選択されているゾーン１５０に基づいて選択されることがある。リソース１５２とエンジニアリングオプション１３６とのつながりはゾーン１５０のインターフェースの位置であってもよい。
【００３９】
これらの例示的な実施例では、航空機カスタマイザ１１０、航空機コンフィギュレータ１２８、コンフィギュレーションジェネレータ１３０、及び航空機マネージャ内の他のコンポーネントは、ハードウェア、ソフトウェア、又はこれら２つの組合せの中に実装することができる。たとえば、これらのコンポーネントは、コンピュータシステム１２０で実装可能である。
【００４０】
コンピュータシステム１２０は任意の数のコンピュータ１２２を含む。加えて、一又は複数のコンピュータがコンピュータシステム１２０内に存在する場合には、コンピュータはネットワーク１２４を介して相互に通信することができる。コンピュータシステム１２０は、単一の場所に配置してもよく、あるいは顧客１０６及び製造業者１０８の所在地など、異なる場所に分散してもよい。
【００４１】
ソフトウェアが使用される場合、これらのコンポーネントによって実施される操作は、コンピュータシステム１２０内の任意の数のコンピュータ１２２のプロセッサ装置上で実行するように構成されたプログラムコード内で実装されることがある。ハードウェアが採用される場合には、ハードウェアはコンポーネント内の操作を実施する回路を含むことがある。
【００４２】
例示的な実施例では、ハードウェアは回路システム、集積回路、特定用途向け集積回路（ASIC ）、プログラマブル論理デバイス、又は任意の数の操作を実施するように構成された他の好適なタイプのハードウェアの形態をとってもよい。プログラマブル論理デバイスにより、デバイスは任意の数の操作を実施するように構成されている。このデバイスはその後再構成すること、又は任意の数の操作を実施するために永続的に構成することができる。プログラマブル論理デバイスの例は、例えば、プログラマブル論理アレイ、プログラマブルアレイロジック、フィールドプログラマブルロジックアレイ、フィールドプログラマブルゲートアレイ、及び他の好適なハードウェアデバイスを含む。加えて、プロセスは、無機コンポーネントと一体化した有機コンポーネントに実装することができる、及び／又は人間を除く有機コンポーネントで全体を構成することができる。
【００４３】
したがって、製造環境１００は、顧客１０６への納品物として、航空機１０２のような製品を製造するために使用することができる。実施例に図示されているように、航空機１０２は選択されたオプション１４２を含む。選択されたオプション１４２は、航空機１０２のリソース１５２に関連する任意の数のエンジニアリングオプション１４４を含む最終設計１６０から製造される。図示されているように、任意の数のエンジニアリングオプション１４４は、選択されたオプション１４２を有する航空機１０２の製造に要する時間を短縮する任意の数の認証済み設計である。すなわち、航空機１０２は、航空機１０２に選択されたオプション１４２を構築するために使用される最終設計１６０を具現化する。
【００４４】
幾つかの例示的な実施例では、ドキュメント１４６はパッケージの認証の一部として最終設計を含むことがある。例えば、ドキュメント１４６は、航空機１０２のハードウェアコンポーネントが最終設計１６０に適合することの検証に加えて、最終設計１６０の説明を含むことがある。
【００４５】
図１の製造環境１００の図は、例示的な実施形態を実装できる方法に対する物理的または構造的な制限を示唆することを意図していない。例えば、製造環境１００は航空機１０２に関して記述されているが、種々の例示的な実施形態は他のタイプのプラットフォームに適用されることがある。
【００４６】
例えば、限定しないが、他の例示的な実施形態は、移動式プラットフォーム、固定式プラットフォーム、陸上構造物、水上構造物、宇宙構造物、及び／又は他の好適なプラットフォームに適用されることがある。より具体的には、種々の例示的な実施形態は、例えば、限定しないが、潜水艦、バス、人員運搬車、戦車、列車、自動車、宇宙船、宇宙ステーション、衛星、水上艦、発電所、ダム、製造施設、建物、及び／又は他の好適なプラットフォームに適用されることがある。
【００４７】
さらに別の例示的な実施例として、航空機コンフィギュレータ１２８及びコンフィギュレーションジェネレータ１３０が別々の機能ブロックとして図解されている。これらのブロックは、具体的な実装に応じて、別々のコンポーネントとして又は単一のコンポーネントとして実装されることがある。さらに別の例示的な実施例では、航空機オプションデータベース１２６は単一の機能コンポーネントとして表示されている。このコンポーネントは、具体的な実装に応じて、異なる場所に配置することが可能な分散型データベースとして実装されることがある。
【００４８】
別の例示的な実施例では、エンジニアリングオプション１３６は設計１３８に加えて他の情報を含むことができる。例えば、エンジニアリングオプション１３６は、選択したオプション１４２について、構築するためのコスト、時間、及び他の情報を含むことができる。幾つかの例示的な実施例では、情報は設計１３８の一部ではなく、エンジニアリングオプション１３６に含まれることがある。
【００４９】
次に図２を参照すると、例示的な実施形態により航空機カスタマイゼーションシステムののブロック図が図示されている。この例示的な実施例では、航空機マネージャ２００は、図１の航空機マネージャ１１２の１つの実装の例である。
【００５０】
この例示的な実施例では、航空機マネージャ２００はコンピュータ支援設計システム２０２、航空機カスタマイザ２０４、スケジューラ２０６、ベリファイヤ２１０、レポーティングシステム２１２、製造システム２１４、ドキュメンタ２１６、及び製品マネージャ２１８を含む。図示されているように、コンピュータ支援設計システム２０２、航空機カスタマイザ２０４、スケジューラ２０６、ベリファイヤ２１０、レポーティングシステム２１２、製造システム２１４、及びドキュメンタ２１６は、製品マネージャ２１８に結合されている。製品マネージャ２１８は、航空機のライフサイクルの様々な側面及び部分を統合するように構成されている。航空機マネージャ２００内の一又は複数のこれらのコンポーネントは、航空機カスタマイザ１１０、航空機コンフィギュレータ１２８、及びコンフィギュレーションジェネレータ１３０のうちの少なくとも１つに対する機能を含むことができる。
【００５１】
コンピュータ支援設計システム２０２は、これらの例示的な実施例で、コンピュータ支援設計（ＣＡＤ）ファイルの形態で設計を作成するように構成されている。これらの設計は、航空機の種々のアセンブリ、コンポーネント、構造物、及び他のアイテム用のものとなることがある。
【００５２】
図示されているように、航空機カスタマイザ２０４は、顧客に対して航空機をカスタマイズするように構成されている。航空機カスタマイザ２０４は、航空機の種々のモデル及び航空機モデル内の種々のバージョンを選択するために使用されることがある。さらに、航空機カスタマイザ２０４は、種々の航空機に対してオプションの選択を受取るように構成されている。航空機カスタマイザ２０４は、図１の航空機カスタマイザ１１０の実装の１例である。
【００５３】
例示的な実施例では、スケジューラ２０６は航空機カスタマイザ２０４に結合しているだけでなく、製品マネージャ２１８とも結合している。スケジューラ２０６は、航空機の設計及び製造のためのスケジュールを作成するように構成されている。ベリファイヤ２１０は、航空機カスタマイザ２０４を介して構成される航空機に対する設計を検証するように構成されている。レポーティングシステム２１２は航空機に関するレポート２５０を作成するように構成されている。これらのレポートは、航空機のライフサイクルの種々フェーズで作成されることがある。例えば、レポート２５０は、最終設計２３８が作成された後に航空機の製造の進捗状況を特定するために作成されること、又は航空機の納品の後に作成されることがある。言うまでもなく、レポート２５０はまた、設計、カスタマイゼーション、製造、整備の期間中、及び航空機のライフサイクルの他のフェーズでも作成されることがある。最終設計２３８は、航空機の製造又は構築に使用される設計である。
【００５４】
レポート２５０は様々な形態をとりうる。例えば、レポートはコスト、タイムライン、使用されるコンポーネント、使用される材料、認証プロセスに関するレポート、及び他の好適なタイプのレポートになることがある。
【００５５】
製造システム２１４は、航空機の構築に使用される指示書及び他のドキュメントを作成するため、航空機に対する設計を管理するように構成されている。ドキュメンタ２１６は、航空機が製造され顧客に納品された後に、航空機の整備に使用されるドキュメントを作成するように構成されている。
【００５６】
航空機のライフサイクルでは、航空機マネージャ２００を使用する多種多様な作業が実施される。１つの例示的な実施例では、航空機コンフィギュレーション２２２は航空機カスタマイザ２０４を使用して作成される。航空機カスタマイザ２０４によって、顧客は航空機のモデル、航空機のバージョン、及び航空機用のオプションを選択することができる。このプロセスは顧客単独で実施すること、又は製造業者と協力して実施することができる。
【００５７】
航空機コンフィギュレーション２２２が作成された後、スケジューラ２０６によってスケジュール２２４及び顧客作業明細書２２６が作成される。スケジュール２２４は、本明細書で図示されている実施例で航空機を製造するためのスケジュールである。スケジュール２２４により、航空機はこれらの例示的な実施例で製造ラインに配置される。
【００５８】
顧客作業明細書２２６は、顧客に対して実施される航空機に関する作業、納品物、タイムライン、及びその他の情報を定義するドキュメントである。顧客作業明細書２２６は、これらの例示的な実施例で、顧客と製造業者との間の契約の一部として含まれることがある。
【００５９】
製品マネージャ２１８はスケジュール２２４を受取り、タスクリスト２２８を作成する。タスクリスト２２８は航空機の製造で実施される作業のリストである。これらの作業は、航空機の製造にあたるオペレータ、又は製造業者に供給を行うベンダーによって実施される作業を含むことがある。
【００６０】
製品マネージャ２１８はまた、設計２３０を取得する。設計２３０は設計ライブラリ２３２に保存される。設計ライブラリ２３２の中のこれらの設計は製品マネージャ２１８によって管理される。
【００６１】
設計ライブラリ２３２の中の設計２３０は、具体的な実装に応じて、コンピュータ支援設計システム２０２によって作成されること、又は他のソースからインポートされることがある。設計ライブラリ２３２はまた、航空機１０２の製造に使用される他の設計に加えて、これらの例示的な実施例では航空機オプションデータベースを含む。航空機オプションデータベース２３３はエンジニアリングオプション２３５を含む。図示されているように、航空機オプションデータベース２３３は、例えば、図１の航空機オプションデータベース１２６であってもよい。設計２３０は、バージョン又はオプションにかかわりなく、航空機１０２に対して使用しうる設計すべてになることがある。
【００６２】
製品マネージャ２１８は設計２３０の中から適用可能な設計２３４を特定する。適用可能な設計２３４は、顧客によって選択された航空機コンフィギュレーション２２２に適用可能な設計として設計２３０の中から特定される。すなわち、航空機１０２の特定のバージョン及びオプションに対する設計は、適用可能な設計２３４から選択される。適用可能な設計２３４はまた、航空機コンフィギュレーション２２２の中で顧客によって選択されるオプション又はオプション群に対するエンジニアリングオプションを含むことがある。すなわち、エンジニアリングオプション２３５の中のエンジニアリングオプションは、これらの例示的な実施例に適用可能な各オプションに対して含まれることがある。
【００６３】
次にベリファイヤ２１０は、製品マネージャ２１８によって選択された設計に基づいて、設計２３０の中から統合設計２３６を作成する。これらの例示的な実施例では、ベリファイヤ２１０は統合設計２３６の検証を実施する。ベリファイヤ２１０は、航空機に必要なすべてのコンポーネントがあることを確認するため、航空機によって「フライスルー」を実施するように構成されている。この検証は適用可能な設計２３４を使用して実施される。
【００６４】
統合設計２３６が検証されると、この設計は最終設計２３８となる。製品マネージャ２１８は最終設計２３８を使用して部品表２４０を作成する。部品表２４０は航空機を製造するためのコンポーネント及び材料の発注に使用される。
【００６５】
これらの例示的な実施例では、製造システム２１４は航空機構築のためのドキュメント２４１を作成する。これらの例示的な実施例では、ドキュメント２４１は最終設計２３８を使用して作成される。場合によっては、ドキュメント２４１は最終設計２３８となること、または最終設計２３８を含むことがある。
【００６６】
具体的には、ドキュメント２４１は航空機の中に選択したオプションを構築するために使用される。このドキュメントは最終設計２３８の中のエンジニアリングオプション２３５を使用して作成可能である。ドキュメント２４１は航空機内に他のコンポーネント、アセンブリ、及び構造物を構築するために使用されることもある。
【００６７】
これらの例示的な実施例では、ドキュメント２４１は製造作業明細書２４２であってもよい。別の例示的な実施例では、ドキュメント２４１は作業指示書２４３の形態をとることがある。
【００６８】
製造システムはまた、最終設計２３８を使用して輸出ビルド要件２４４を確認することができる。輸出ビルド要件２４４は、航空機が建造される国から別の国へ航空機を輸出を許可するために、航空機のコンポーネントに関する適切な輸出ライセンスが満たされていることを確認するための要件である。
すなわち、これらの要件は、航空機を他国で販売できることを確認するために使用される。
【００６９】
最終設計２３８はまた、航空機に必要となる認証２４６を確認するために、製品マネージャ２１８によって使用される。認証２４６は、航空機の耐空性に関して連邦航空局によって公表されている規制など、一連の規制に基づいて必要となる認証である。これらの例示的な実施例では、航空機に対して選択されたオプションに対するエンジニアリングオプション２３５の使用により、必要となる認証２４６の件数は低減されることがある。
【００７０】
必要となる認証２４６の件数を減らすことによって、航空機の製造及び納品に要する時間は短縮可能となる。さらに、設計を検証するためのコストもまた、航空機オプションデータベース２３３の認証済み設計を使用することによって低減可能となる。
【００７１】
ドキュメンタ２１６は整備マニュアル２４８に加えて他のドキュメントを作成する。これらのドキュメントは印刷して使用することも可能な電子的な形態をとる。整備マニュアル２４８は、航空機が製造された後、航空機に対して整備を実施するため、顧客、製造業者、又は両者によって使用される。
【００７２】
図２の航空機マネージャ２００の図は、種々の例示的な実施形態が実装される方法に対する物理的又は構造的な制限を示唆することを意図していない。例えば、幾つかの例示的な実施例では、製造システム２１４及びドキュメンタ２１６は単一のコンポーネントに結合されることがある。なお別の例示的な実施例では、整備マニュアル２４８はレポート２５０とみなされることがあり、レポーティングシステム２１２によって作成されることがある。
【００７３】
さらに別の例示的な実施例では、製品マネージャ２１８によって実施される一部の機能は、他のコンポーネントに分離されることがある。例えば、認証２４６は製品マネージャ２１８によって実施されるのではなく、認証システムに置き換え可能である。
【００７４】
次に図３を参照すると、例示的な実施形態によりエンジニアリングオプションのブロック図が図示されている。図示されているように、エンジニアリングオプション３００は、図１のエンジニアリングオプション１３２及び図２のエンジニアリングオプション２３５の中の１つのエンジニアリングオプションの実装例である。図示されているように、エンジニアリングオプション３００は、識別子３０２、オプションタイプ３０４、任意の数のモデル３０６、任意の数のバージョン３０８、任意の数のゾーン、及び任意の数の設計３１２を含む。
【００７５】
識別子３０２はエンジニアリングオプション３００を特定する。識別子３０２は名称、英数字識別子、又は他の好適なタイプの識別子であってもよい。これらの例示的な実施例では、識別子３０２はエンジニアリングオプション３００に対して一義的な識別子である。
【００７６】
オプションタイプ３０４はエンジニアリングオプション３００のオプションタイプを特定する。具体的には、オプションタイプ３０４は航空機内に配置されるモニュメントのタイプを特定することができる。モニュメントとは航空機の構造物である。
【００７７】
例えば、オプションタイプは、限定しないが、トイレ、乗務員用座席、調理室、及び他の好適なオプションのタイプであってもよい。オプションタイプ３０４は、顧客によるオプションタイプの選択に基づいて、航空機のコンフィギュレーションにエンジニアリングオプション３００が適用可能かどうかを判断するために使用される。言うまでもなく、オプションタイプ３０４は、具体的な実装に応じて、モニュメント以外の他の構造物又はアセンブリに適用可能となることがある。
【００７８】
エンジニアリングオプション３００が航空機の特定のコンフィギュレーションに適用可能かどうかを判断するため、任意の数のモデル３０６、任意の数のバージョン３０８、及び任意の数のゾーン３１０が使用される。任意の数のモデル３０６は、エンジニアリングオプション３００が使用される一又は複数の航空機のモデルを特定する。任意の数のバージョン３０８は、エンジニアリングオプション３００が使用される任意の数のモデル３０６に対して一又は複数のバージョンを特定する。
【００７９】
例えば、顧客が航空機の特定のモデル及びバージョンに対するオプションを選択する場合、航空機について顧客が選択したモデル及びバージョンに対してエンジニアリングオプション３００が使用可能かどうかを判断するため、任意の数のモデル３０６及び任意の数のバージョン３０８を使用することができる。
【００８０】
さらに、任意の数のゾーン３１０はまた、航空機内のどのゾーンにエンジニアリングオプションが適用可能かを判断するために使用することができる。任意の数のゾーン３１０は、任意の数のモデル３０６の種々のモデルに対して、又任意の数のバージョン３０８の種々のバージョンに対して異なることがある。
【００８１】
例えば、顧客が航空機の特定のモデル及びバージョンに対して特定のゾーンを選択する場合には、任意の数のゾーン３１０を使用するゾーンに対してエンジニアリングオプション３００が適用可能かどうかに関して判断を行うことができる。
【００８２】
任意の数の設計３１２は選択されたオプションに対する一又は複数の設計である。これらの例示的な実施例では、任意の数の設計３１２は、例えば、図２のコンピュータ支援設計システム２０２によって作成される設計であってもよい。具体的には、任意の数の設計３１２は一連の規制を満たす設計である。さらに具体的には、任意の数の設計３１２は認証済みの設計３１４の形態をとることができる。認証済みの設計３１４は、構成される航空機の任意の数のモデル３０６における任意の数のバージョンの任意の数のゾーン３１０に対して認証済みである。
【００８３】
図４は、有利な一実施形態による航空機のモニュメントに対するゾーンのブロック図である。この例示的な実施例では、ゾーン４０２を有する航空機４００のビューがこの具体的な実施例に表示されている。
【００８４】
この具体的な実施例では、ゾーン４０２は一又は複数のモニュメントが配置されることがある。モニュメントとは航空機４００の構造物である。モニュメントはまた、例えば、限定しないが、トイレ、調理室、乗務員用座席、手荷物置き場、クローゼット、テーブル、バー、及び他の好適な構造物を含むことができる。
【００８５】
航空機４００内のこれらの種々のゾーンは、航空機４００のコンフィギュレーションのオプションとして、顧客が航空機４００内にモニュメントを配置できる場所を図解したものである。図示されているように、モニュメントはゾーン４０２内に配置することができる。
【００８６】
ゾーン４０２の１つにモニュメントを配置する場合、モニュメントは当該モニュメントに対して認証済みの設計を有するエンジニアリングオプションを使用して構築される。結果として、ゾーン４０２の１つにモニュメントを配置することにより、当該モニュメントの認証は不必要になり、航空機４００を構築するのに必要な時間は短縮される。この例示的な実施例では、ゾーン４０２はゾーン４１０、４１２、４１４、４１６、４１８、４２０、４２２、４２４、４２６、４２８、４３０、４３２、４３４、４３６、４３８、４４０、４４２、４４４、４４６、４４８、４５０、４５２、及び４５４を含んでいる。ゾーン４１０、４１２、４１４、４１６、４１８、４２０、４２２、４２４、４２６、４２８、４３０、４３２、４３４、４３６、４３８、４４０、４４２、及び４４４は、これらの例示的な実施例で適用可能なゾーンである。ゾーン４４６、４４８、４５０、４５２、及び４５４は固定ゾーンである。
【００８７】
適用可能なゾーンとは、特定のゾーンを有する任意の場所にモニュメントを配置することができるゾーンのことである。固定ゾーンとは、モニュメントの位置がゾーン内で選択することができないゾーンのことである。例えば、ゾーン４４６の選択はモニュメントが当該ゾーン内で定位置を占めることを意味する。さらに、ドア及び他の機能の位置もゾーン４４６内に固定されることがある。
【００８８】
例えば、ゾーン４１６はゾーン４０２の中の適用可能なゾーンである。このゾーンを選択することにより、モニュメント４６０はこのゾーン内の任意の位置に配置することができる。例えば、ゾーン４１６の中のモニュメント４６０の図解は、モニュメントに対して配置の一例を示している。ゾーン４１６は適用可能なゾーンであるため、モニュメント４６０はゾーン４１６内の任意の場所に移動することができる。また、ゾーン４１６が適用可能なゾーンであるため、ゾーン４１６内に異なるサイズのモニュメントを配置することもできる。サイズはゾーン４１６内に適合するものであってもよく、あるいは他の制約条件に基づいていてもよい。
【００８９】
別の実施例として、ゾーン４４６は固定ゾーンである。このゾーンのモニュメントは固定された位置とサイズを有する。モニュメントを配置することにより、エンジニアリングオプションが使用されることがある。これらの種々のゾーンは、特定のオプションに対して適用可能なリソースに基づいて選択される。この実施例のリソースは、配管、物理的な連結点、配管、水、及びモニュメントに必要となる他の好適なであってもよい。
【００９０】
図４の航空機のオプションに対するゾーンの図解は、オプションが配置される方法に対する制限を示唆することを意図していない。例えば、調理室、トイレ、乗務員用座席、乗客用座席、クローゼット、収納庫、テーブル、バー、及び航空機内の他の好適なタイプの構造物又はモニュメントのためのゾーンが存在してもよい。さらに、これらのゾーンはまた、航空機内のモニュメント以外の他のタイプの構造物に適用することができる。
【００９１】
次に図５を参照すると、例示的な実施形態による航空機の設計及び製造のためのプロセスのフロー図が図解されている。図５に示されるプロセスは、図１の製造環境１００を使用して、また図２の航空機マネージャ２００を使用して実装される。
【００９２】
プロセスは、航空機のユーザー選択を受取ることにより開始される（作業５００）。この選択は航空機のモデル及びバージョンの特定を含むことがある。次にプロセスは、ユーザーが選択した航空機に対するオプションを受取る（作業５０２）。このプロセスは航空機に対するユーザーのオプション選択に応じて、航空機コンフィギュレーションを作成する（作業５０４）。
【００９３】
次にプロセスはコンフィギュレーションに基づいて、航空機に対して適用可能な設計を特定する（作業５０６）。次に適用可能な設計が検証される（作業５０８）。適用可能な設計が特定された後、航空機に対して最終設計が作成される（作業５１０）。
【００９４】
プロセスは航空機の製造に必要となるドキュメントを作成する（作業５１２）。これらのドキュメントは、例えば、部品表、製造作業明細書、作業指示書、及び他の好適なドキュメントを含むことがある。次にプロセスは、航空機を製造する（作業５１４）。航空機に必要となる認証が取得される（作業５１６）。
【００９５】
作業５１６は、作業５１４の航空機の製造前、製造中、又は製造後に実際されることがある。これらの例示的な実施例では、認証済みの設計を有するエンジニアリングオプションの使用により、認証の件数は削減可能である。顧客によって同じコンフィギュレーションを有する複数の航空機が発注される場合には、作業５１６は各航空機に対して不要になることがある。認証は、特定のコンフィギュレーションが最初に製造されるときにのみ必要となる。
【００９６】
このように、顧客への航空機の納品に必要となる時間は短縮することができる。また、エンジニアリングオプションを使用することにより、顧客に対して設計及び製造のコストを低減することができる。次に航空機が顧客に納品され（作業５１８）、プロセスはその後終了する。
【００９７】
次に図６を参照すると、例示的な実施形態による航空機でのオプション管理のプロセスのフロー図が図解されている。図６に示されるプロセスは、図１の製造環境１００を使用して、また図２の航空機マネージャ２００を使用して実装される。このプロセスは、顧客によって選択された特定のオプションを構築するためのドキュメントの作成に使用されることがある。
【００９８】
プロセスは、航空機に対して選択されたオプションを受取ることにより開始される（作業６００）。このプロセスは、選択されたオプションに対する航空機オプションデータベース内の任意の数のエンジニアリングオプションを特定する（作業６０２）。次に、このプロセスは、任意の数のエンジニアリングオプションを使用して、航空機内に選択されたオプションを構築するためのドキュメントを作成し（作業６０４）、その後プロセスは終了する。ドキュメントは種々の形態をとりうる。１つの例示的な実施例では、ドキュメントは、リソースに関連する任意の数のエンジニアリングオプションを含み、航空機内に選択されたオプションを構築するための最終設計であってもよい。図６のプロセスは選択された単一のオプションに対して示されているが、顧客によって選択される各オプションに対して実施されることもある。
【００９９】
ここで図７を参照すると、例示的な実施形態によるエンジニアリングオプションを特定するプロセスのフロー図が示されている。このプロセスは、図６の作業６０２の実装の１例である。
【０１００】
このプロセスは、モデル、バージョン、及び選択されたオプションに対するゾーンを特定することによって開始される（作業７００）。このプロセスは、任意の数のエンジニアリングオプションに対して航空機オプションデータベースを必要とする（作業７０２）。次に、基準を満たす任意の数のエンジニアリングオプションが航空機オプションデータベースに対するクエリーから特定され（作業７０４）、プロセスはその後終了する。
【０１０１】
図示した異なる実施形態でのフロー図及びブロック図は、実例となる実施形態で実装可能な装置及び方法の構造、機能、及び作業を示している。その際、フロー図又はブロック図の各ブロックは、作業又はステップのモジュール、セグメント、機能及び／又は部分を表わすことがある。例えば、一又は複数のブロックは、ハードウェア内のプログラムコードとして、又はプログラムコードとハードウェアの組合せとして実装可能である。ハードウェア内に実装した場合、ハードウェアは、例えば、フロー図又はブロック図の一又は複数の操作を実施するように製造又は構成された集積回路の形態をとりうる。
【０１０２】
幾つかの例示的な実施形態の代替的な実装では、ブロックに記載された機能又は機能群は、図の中に記載の順序を逸脱して現れることがある。例えば、場合によっては、連続して示されている二つのブロックがほぼ同時に実行されること、又は時には含まれる機能によってはブロックが逆順に実施されることもありうる。また、フロー図又はブロック図に描かれているブロックに加えて他のブロックが追加されることもありうる。
【０１０３】
次に図８を参照すると、例示的な実施形態によりデータ処理システムが図示されている。データ処理システム８００を使用して、コンピュータシステム１２０に一又は複数のコンピュータ１２０を実装することができる。この例示的な実施例では、データ処理システム８００は通信フレームワーク８０２を含み、これによりプロセッサ装置８０４、メモリ８０６、固定記憶域８０８、通信装置８１０、入出力（Ｉ／Ｏ）装置８１２、及びディスプレイ８１４の間の通信が可能となる。これらの実施例では、通信装置８１０はバスシステムであってもよい。
【０１０４】
プロセッサ装置８０４は、メモリ８０６に読み込まれうるソフトウェアに対する命令を実行するように働く。プロセッサ装置８０４は、具体的な実装に応じて、任意の数のプロセッサ、マルチプロセッサコア、又は他のタイプのプロセッサであってもよい。本明細書でアイテムを参照する際に使用している「任意の数の」は、一又は複数のアイテムを意味する。さらに、プロセッサ装置８０４は、単一チップ上でメインプロセッサが二次プロセッサと共存する異種プロセッサシステムを任意の個数だけ使用して実装することもできる。別の例示的な実施例では、プロセッサ装置８０４は同一タイプの複数のプロセッサを含む対称型マルチプロセッサシステムであってもよい。
【０１０５】
メモリ８０６及び固定記憶域８０８は記憶デバイス８１６の例である。記憶デバイスは、例えば、限定しないが、データ、機能的な形態のプログラムコードなどの情報、及び／又は他の好適な情報を、一時的に及び／又は永続的に保存することができる任意のハードウェア部分である。記憶デバイス８１６は、このような実施例では、コンピュータで読取可能な記憶デバイスとも呼ばれる。これらの実施例では、メモリ８０６は、例えば、ランダムアクセスメモリ又は他の好適な揮発性又は不揮発性の記憶デバイスであってもよい。固定記憶域８０８は具体的な実装に応じて様々な形態をとりうる。
【０１０６】
例えば、固定記憶域８０８は、一又は複数のコンポーネント又はデバイスを含むことができる。例えば、固定記憶域８０８は、ハードドライブ、フラッシュメモリ、書換型光ディスク、書換型磁気テープ、又はこれらの組み合わせであってもよい。固定記憶域８０８によって使用される媒体は着脱式であってもよい。例えば、着脱式ハードドライブは固定記憶域８０８に使用することができる。
【０１０７】
通信装置８１０はこれらの例では、他のデータ処理システム又はデバイスとの通信を行う。これらの実施例では、通信装置８１０はネットワークインターフェースカードである。通信装置８１０は、物理的及び無線の通信リンクのいずれか一方又は両方を使用することによって、通信を可能にすることができる。
【０１０８】
入出力装置８１２により、データ処理システム８００に接続可能な他のデバイスによるデータの入力及び出力が可能になる。例えば、入出力装置８１２は、キーボード、マウス、及び／又は他の幾つかの好適な入力デバイスを介してユーザー入力への接続を提供することができる。さらに、入出力装置８１２は出力をプリンタに送ってもよい。ディスプレイ８１４はユーザーに情報を表示する機構を提供する。
【０１０９】
オペレーティングシステム、アプリケーション、及び／又はプログラムに対する命令は、通信フレームワーク８０２を介してプロセッサユニット８０４と通信する記憶デバイス８１６内に配置されうる。これらの例示的な実施例では、命令は固定記憶域８０８上の機能的な形態になっている。これらの命令は、メモリ８０６に読み込まれ、プロセッサ装置８０４によって実行される。種々の実施形態のプロセスは、メモリ８０６などのメモリに配置されうる命令を実装したコンピュータを使用して、プロセッサ装置８０４によって実施することができる。
【０１１０】
これらの命令は、プログラムコード、コンピュータで使用可能なプログラムコード、又はコンピュータで読取可能なプログラムコードと呼ばれ、プロセッサ装置８０４内のプロセッサによって読取及び実行することができる。種々の実施形態のプログラムコードは、メモリ８０６又は固定記憶域８０８など、種々の物理的な媒体又はコンピュータで読取可能な媒体上に具現化することができる。
【０１１１】
プログラムコード８１８は、選択的に着脱可能でコンピュータで読取可能な媒体８２０上に機能的な形態で配置され、プロセッサ装置８０４での実行用のデータ処理システム８００に読込み又は転送することができる。プログラムコード８１８及びコンピュータで読込可能な媒体８２０は、これらの実施例ではコンピュータプログラム製品８２２を形成する。１つの実施例では、コンピュータで読取可能な媒体８２０は、コンピュータで読取可能な記憶媒体８２４又はコンピュータで読取可能な信号媒体８２６であってもよい。コンピュータで読み取り可能な媒体８２４は、例えば、記憶デバイス上への転送のために、固定記憶域８０８の一部であるドライブ又は他のデバイス（例えば、固定記憶域８０８の一部であるハードドライブ）に挿入又は配置される光ディスク又は磁気ディスクを含むことができる。コンピュータで読取可能な記憶媒体８２４は、データ処理システム８００に接続されているハードドライブ、サムドライブ、又はフラッシュメモリなどの固定記憶域の形態もとりうる。
【０１１２】
幾つかの例では、コンピュータで読取可能な記憶媒体８２４はデータ処理システム８００から着脱可能ではないことがある。これらの実施例では、コンピュータで読取可能な記憶媒体８２４は、プログラムコード８１８を伝搬又は転送する媒体よりはむしろプログラムコード８１８を保存するために使用される物理的な又は有形の記憶デバイスである。コンピュータで読取可能な記憶媒体８２４は、コンピュータで読取可能な有形の記憶デバイス又はコンピュータで読取可能な物理的な記憶デバイスと呼ばれることもある。すなわち、コンピュータで読取可能な記憶媒体８２４は、人が触れることのできる媒体である。
【０１１３】
代替的に、プログラムコード８１８はコンピュータで読取可能な信号媒体８２６を用いてデータ処理シスム８００に転送可能である。コンピュータで読取可能な信号媒体８２６は、例えば、プログラムコード８１８を含む伝播されたデータ信号であってもよい。例えば、コンピュータで読取可能な信号媒体８２６は、電磁信号、光信号、及び／又は他の好適な形式の信号であってもよい。これらの信号は、無線通信リンク、光ファイバケーブル、同軸ケーブル、有線などの通信リンク、及び／又は他の好適な形式の通信リンクによって転送することができる。すなわち、通信リンク及び／又は接続は、例示的な実施例で物理的なもの又は無線によるものであってもよい。
【０１１４】
幾つかの例示的な実施形態では、プログラムコード８１８は、コンピュータで読取可能な信号媒体８２６により、ネットワークを介して別のデバイス又はデータ処理システムから固定記憶域８０８にダウンロードされて、データ処理システム８００内で使用される。例えば、サーバーデータ処理システムのコンピュータで読取可能な記憶媒体に保存されたプログラムコードは、ネットワークを介してサーバーからデータ処理システム８００にダウンロードすることができる。プログラムコード８１８を提供するデータ処理システムは、サーバーコンピュータ、クライアントコンピュータ、又はプログラムコード８１８を保存及び転送することができる他のデバイスであってもよい。
【０１１５】
データ処理システム８００に対して例示されている種々のコンポーネントは、種々の実施形態が実装しうる方法に対して物理的又は構造的な制限を設けることを意図していない。種々の例示的な実施形態は、データ処理システム８００に対して例示されているコンポーネントに対して追加的又は代替的なコンポーネントを含むデータ処理システム内に実装しうる。図８に示した他のコンポーネントは、例示的な実施例と異なることがある。種々の実施形態は、プログラムコードを実行できる任意のハードウェアデバイス又はシステムを使用して実装することができる。１つの実施例として、データ処理システムは、無機コンポーネントと一体化した有機コンポーネントを含むことができ、及び／又は全体を人間を除く有機コンポーネントで構成することができる。例えば、記憶デバイスは有機半導体を含んでいてもよい。
【０１１６】
別の例示的な実施例では、プロセッサ装置８０４は、特定の用途のために製造又は構成された回路を有するハードウェア装置の形態をとってもよい。このタイプのハードウェアは、操作を実施するために構成される記憶デバイスからメモリにプログラムコードを読み込まずに操作を実施することができる。
【０１１７】
例えば、プロセッサ装置８０４がハードウェア装置の形態をとる場合、プロセッサ装置８０４は回路システム、特定用途向け集積回路（ＡＳＩＣ）、プログラマブル論理デバイス、又は任意の数の操作を実施するために構成された他の適切な形式のハードウェアであってもよい。プログラマブル論理デバイスにより、デバイスは任意の数の操作を実施するように構成されている。このデバイスはその後再構成すること、又は任意の数の操作を実施するために永続的に構成することができる。プログラマブル論理デバイスの例は、例えば、プログラマブル論理アレイ、プログラマブルアレイロジック、フィールドプログラマブルロジックアレイ、フィールドプログラマブルゲートアレイ、及び他の適切なハードウェアデバイスを含む。このタイプの実装により、種々の実施形態のプロセスはハードウェア装置に実装されるため、プログラムコード８１８は除外されることがある。
【０１１８】
さらに別の例示的な実施例では、プロセッサ装置８０４は、コンピュータ及びハードウェア装置の中に見られるプロセッサの組み合わせを使用して実装可能である。プロセッサ装置８０４は、任意の数のハードウェア装置及びプログラムコード８１８を実行するように構成されている任意の数のプロセッサを有していてもよい。ここに描かれている実施例では、プロセスの一部は任意の数のハードウェア装置に実装することが可能であるが、一方、他のプロセスは任意の数のプロセッサに実装可能である。
【０１１９】
別の実施例では、バスシステムは、通信ファブリック８０２を実装するために使用することができ、システムバス又は入出力バスといった一又は複数のバスを含むことができる。言うまでもなく、バスシステムは、バスシステムに取り付けられた種々のコンポーネント又はデバイスの間でのデータ伝送を行う任意の適切な種類のアーキテクチャを使用して実装することができる。
【０１２０】
加えて、通信装置は、データ送信、データ受信、又はデータの送受信を行う任意の数のデバイスを含むことがある。通信装置は例えば、モデム又はネットワークアダプタ、２個のネットワークアダプタ、又はこれらの組み合わせであってもよい。さらに、メモリは、例えば、通信フレームワーク８０２内に存在することがあるインターフェース及びメモリコントローラハブに見られるような、メモリ８０６又はキャッシュであってもよい。
【０１２１】
本発明の例示的な実施形態は、図９に示す航空機の製造及び保守方法９００、及び図１０に示す航空機１０００の観点から説明することができる。まず図９に注目すると、例示的な実施形態に従って図解された航空機の製造及び保守の方法が示されている。製造前の段階では、航空機の製造及び保守方法９００は、図１０の航空機１０００の仕様及び設計９０２、並びに材料の調達９０４を含むことがある。
【０１２２】
製造段階では、図１０の航空機１０００のコンポーネント及びサブアセンブリの製造９０６と、システムインテグレーション９０８とが行われる。その後、図１０の航空機１０００は認可及び納品９１０を経て運航９１２に供される。顧客により運航９１２される間に、図１０の航空機１０００は、定期的な整備及び保守９１４（改造、再構成、改修、及びその他の整備又は保守を含みうる）を受ける。
【０１２３】
航空機の製造及び保守方法９００の各プロセスは、システムインテグレーター、第三者、及び／又はオペレータによって実施又は実行されることがある。これらの実施例では、オペレータは顧客であってもよい。本明細書の目的のために、システムインテグレーターは、限定しないが、任意の数の航空機製造者、及び主要システムの下請業者を含むことができ、第三者は、限定しないが、任意の数のベンダー、下請業者、及び供給業者を含むことができ、オペレータは、航空会社、リース会社、軍事団体、サービス機関などであってもよい。
【０１２４】
次に図１０を参照すると、例示的な実施形態で実装されうる航空機が示されている。この実施例では、航空機１０００は、図９の航空機の製造及び保守方法９００によって製造されたものであり、複数のシステム１００４及び内装１００６を有する機体１００２を含みうる。システム１００４の例には、推進システム１００８、電気システム１０１０、油圧システム１０１２、及び環境システム１０１４のうちの一又は複数が含まれる。任意の数の他のシステムが含まれてもよい。航空宇宙産業の例を示したが、輸送機を製造する他の産業にも種々の例示的な実施形態を適用することができる。例えば、例示的な実施形態は、自動車産業、造船業などの他の産業、及び他の好適な産業に適用することができる。
【０１２５】
本明細書で具現化した装置及び方法は、図９の航空機の製造及び保守方法９００の一又は複数の段階で使用可能である。
【０１２６】
１つの例示的な実施例では、図９のコンポーネント及びサブアセンブリの製造９０６において製造されるコンポーネント又はサブアセンブリは、図９で航空機１０００の運航中９１２に製造されるコンポーネント又はサブアセンブリと同様の方法で作製又は製造される。
【０１２７】
別の実施例では、顧客又は製造業者によって選択されたオプションで使用されたアセンブリ用に過去に作成された設計を再使用するため、一又は複数の例示的な実施形態が使用されることがある。場合によっては、顧客は発注された特定の航空機に対してオプションを選択してもよい。他の例示的な実施例では、製造業者は航空機１０００に対してオプションを事前に選択することがある。
【０１２８】
さらに、一又は複数の例示的な実施形態はまた、整備及び保守９１４の間に使用されることがある。例示的な実施形態は、航空機１０００で実施されるアップグレード、改装、又は他の作業に対して選択されることがあるオプションで使用する設計を選択するため、整備及び保守９１４の間に実装されることがある。任意の数の種々の例示的な実施形態の利用により、航空機１０００の組立てを大幅に効率化すること、及び／又はコストを削減することができる。
【０１２９】
航空機１０００のオプションは顧客への納品物である。このオプションはオプションに対する最終設計を具現化するものであって、この最終設計はあらかじめ認証済みの一又は複数のエンジニアリングオプションに基づいている。顧客への納品物はまた、オプションに対するコンポーネント、オプションに対するリソースとの関連性、または最終設計に一致する両者を検証する一又は複数のドキュメントを含むことがある。このように、航空機１０００へのオプションの追加に必要となる時間は削減することができる。この削減により、航空機１０００で顧客にオプションを提供するためのコストも低減することができる。
【０１３０】
明細書及び特許請求の範囲の中で、航空機カスタマイゼーションシステムは、
航空機用のオプション１３４に対するエンジニアリングオプション１３２を含む航空機オプションデータベース１２６であって、前記エンジニアリングオプション内の１つのエンジニアリングオプション１３６は、航空機１０２の認証済み設計１３９の耐空性に付随する一連の規制１４０を満たす認証済み設計１３９である航空機オプションデータベースと、
航空機オプションデータベース１２６に結合され、航空機１０２に対して選択されたオプション１４２を受取り、選択されたオプション１４２に対する航空機オプションデータベース１２６内のエンジニアリングオプション１３２から任意の数のエンジニアリングオプション１４４を特定するように構成された航空機コンフィギュレータ１２８と、
航空機コンフィギュレータ１２８に結合され、リソース１５２に関連する任意の数のエンジニアリングオプション１４４を含む最終設計１６０を作成するように構成されたコンフィギュレーションジェネレータ１３０であって、前記最終設計１６０が、選択されたオプション１４２に対する航空機コンフィギュレータ１２８によって航空機オプションデータベース１２６内に特定される任意の数のエンジニアリングオプション１４４を使用して、航空機１０２内に選択されたオプションを構築するためのものであるコンフィギュレーションジェネレータと
を含むように開示されている。
【０１３１】
１つの変形例では、航空機カスタマイゼーションシステムは、航空機１０２に対してオプションを選択するユーザー入力１１８を受取り、選択されたオプション１４２を形成し、航空機コンフィギュレータ１２８に前記選択されたオプション１４２を送るように構成されている航空機カスタマイザ１１０をさらに含む。さらに別の変形例では、航空機カスタマイゼーションシステムは、選択されたオプション１４２に対して航空機コンフィギュレータ１２８によって航空機オプションデータベース１２６内に特定された任意の数のエンジニアリングオプション１４４を使用して、前記航空機１０２内に選択されたオプション１４２を構築するためのドキュメント１４６を作成するように構成されているコンフィギュレーションジェネレータ１３０を含み、前記ドキュメント１４６は作業明細書、製造作業明細書、組立指示書、及び部品表のうちの１つから選択されている。
【０１３２】
１つの例では、航空機カスタマイゼーションシステムは、オプション１３４に関して航空機１０２内での組立を行うための認証済み設計３１４であるエンジニアリングオプションをそこに含む。別の例では、航空機カスタマイゼーションシステムは、調理室、乗務員用座席、モニュメント、乗客用座席、着陸装置、及びエンジンのうちの少なくとも１つから選ばれる選択されたオプション１４２をそこに含む。さらに別の例では、航空機カスタマイゼーションシステムは、製造業者１０８の顧客１０６及び製造業者１０８のうちの１つによって選ばれる選択されたオプション１４２をそこに含む。さらに別の例では、航空機カスタマイゼーションシステムは、航空機１０２のゾーン１４８に関連するオプション１３４をそこに含む。さらになお別の例では、航空機カスタマイゼーションシステムは、選択されたオプション１４２が配置されるゾーン１４８内の１つのゾーンに基づいて特定される任意の数のエンジニアリングオプション１４４をそこに含む。
【０１３３】
１つの態様では、輸送機カスタマイゼーションシステムは、
輸送機用のオプション１３４に対する認証済み設計３１４を含むデータベース１２６であって、前記認証済み設計３１４は前記輸送機の認証済み設計の使用に関する一連の規制を満たしているデータベースと、
前記輸送機に対して選択されたオプション１４２を受取り、前記選択されたオプション１４２に対するデータベース内のエンジニアリングオプション１３２から任意の数のエンジニアリングオプション１４４を特定するように構成されている輸送機コンフィギュレータと、
リソース１５２に関連する任意の数のエンジニアリングオプション１４４を含む最終設計１６０を作成するように構成されたコンフィギュレーションジェネレータ１３０であって、前記最終設計１６０は、前記選択されたオプション１４２に対する前記データベースの中で特定される任意の数の認証済み設計３１４を使用して、前記輸送機の中に選択されたオプション１４２を構築するためのものであるコンフィギュレーションジェネレータと
を含むものとして開示されている。
【０１３４】
１つの変形例では、輸送機カスタマイゼーションシステムは、輸送機１０２に対してオプションを選択するユーザー入力１１８を受取り、選択されたオプション１４２を形成し、輸送機機コンフィギュレータ１２８に前記選択されたオプション１４２を送るように構成されている輸送機カスタマイザをさらに含む。さらに別の変形例では、輸送機カスタマイゼーションシステムは、選択されたオプション１４２に対して輸送機コンフィギュレータ１２８によってデータベース１２６内に特定された任意の数のエンジニアリングオプション１４４を使用して、前記輸送機内に選択されたオプション１４２を構築するためのドキュメント１４６を作成するように構成されているコンフィギュレーションジェネレータ１３０を含み、前記ドキュメント１４６は作業明細書、製造作業明細書、組立指示書、及び部品表のうちの１つから選択されている。さらに別の変形例では、輸送機カスタマイゼーションシステムは、オプション１３４に関して輸送機内で組立を行うための認証済み設計３１４であるエンジニアリングオプション１３２をそこに含む。
【０１３５】
１つの代替例では、輸送機カスタマイゼーションシステムは、前記輸送機のゾーン１４８に関連している前記オプション１３４、及び前記選択されたオプション１４２が位置している前記ゾーン１５０内の１つのゾーンに基づいて特定される任意の数のエンジニアリングオプション１４４をそこに含む。
【０１３６】
別の態様では、航空機１０２に対するオプション１０４を管理する方法が開示されており、該方法は、
前記航空機１０２に対して選択されたオプション１４２を受取るステップと、
前記選択されたオプション１４２に対して任意の数のエンジニアリングオプション１４４を特定するステップであって、前記任意の数のエンジニアリングオプション１４４は前記航空機１０２用の前記オプション１３４に対するエンジニアリングオプション１３２を含む航空機オプションデータベース１２６の中にあり、前記エンジニアリングオプション１３２内の１つのエンジニアリングオプション１３６は前記航空機１０２の前記認証済み設計１３９の耐空性に付随する一連の規制１４０を満たすステップと、
リソース１５２に関連する任意の数のエンジニアリングオプション１４４を含む最終設計１６０を作成するステップであって、前記最終設計１６０は、前記選択されたオプション１４２に対して前記航空機オプションデータベース１２６内で特定される任意の数のエンジニアリングオプション１４４を使用して、前記航空機１０２内に前記選択されたオプション１４２を構築するためのものであるステップと
を含む。１つの変形例では、前記方法は、前記選択されたオプション１４２を形成するため、前記航空機１０２に対してオプションを選択するユーザー入力１１８を受取るステップをさらに含む。
【０１３７】
１つの変形例では、前記方法は、前記選択されたオプション１４２に対して航空機オプションデータベース１２６内に特定された前記任意の数のエンジニアリングオプション１４４を使用して、前記航空機１０２内に選択されたオプション１４２を構築するためのドキュメント１４６を作成するステップをさらに含み、前記ドキュメント１４６は作業明細書、製造作業明細書、組立指示書、及び部品表のうちの１つから選択される。別の変形例では、前記方法は、オプション３１４に関して航空機１０２内での組立を行うための認証済み設計３１４であるエンジニアリングオプション１３２をそこに含む。さらに別の変形例では、前記方法は、調理室、乗務員用座席、モニュメント、乗客用座席、着陸装置、及びエンジンのうちの少なくとも１つから選ばれる選択されたオプション１４２をそこに含む。１つの変形例では、前記方法は、航空機１０２のゾーン１４８に関連するオプション１３４をそこに含む。さらに別の変形例では、前記方法は、選択されたオプション１４２が配置されるゾーン１４８内の１つのゾーン１５０に基づいて特定される任意の数のエンジニアリングオプション１４４をそこに含む。
【０１３８】
したがって、種々の例示的な実施形態は、航空機などのプラットフォームを製造するための方法及び装置を提供する。種々の例示的な実施形態は、輸送機内での使用がすでに認証されている設計を再使用するように構成されている製品マネージャを提供する。例示的な実施例では、設計はゾーンに関連している。これらのゾーンは、設計によって使用されるリソースを提供するゾーンとして選択されている。
【０１３９】
このように、航空機は最終設計を具現化するために製造、改装、又はアップグレードされることがある。最終設計は、例えば、航空機が顧客への納品物として製造される航空機用のものとなること、又は航空機が製造された後に航空機にオプションが付加される場合のオプション用になることがある。
【０１４０】
一又は複数の例示的な実施形態により、航空機の製造に必要となる時間が短縮されることがある。具体的には、上述のエンジニアリングオプションを使用することによって認証に必要となる時間及び費用が削減されるため、顧客による選択に基づくモニュメントの製造に要する時間は短縮可能である。
【０１４１】
種々の例示的な実施形態の説明は、例示及び説明を目的として提供されているものであり、網羅的な説明であること、又は開示された形態に実施形態を限定することを意図していない。当業者には、多数の修正例及び変形例が明らかであろう。さらに、種々の例示的な実施形態は、他の例示的な実施形態に照らして別の機能を提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
【符号の説明】
【０１４２】
４００    航空機
４０２    ゾーン
４１０、４１２、４１４、４１６、４１８、４２０、４２２、４２４、４２６、４２８、４３０、４３２、４３４、４３６、４３８、４４０、４４２、４４４    適用可能なゾーン
４４６、４４８、４５０、４５２、４５４    固定ゾーン
４６０    モニュメント
【図１】
2013126865.tif 000003
【図２】
2013126865.tif 000004
【図３】
2013126865.tif 000005
【図４】
2013126865.tif 000006
【図５】
2013126865.tif 000007
【図６】
2013126865.tif 000008
【図７】
2013126865.tif 000009
【図８】
2013126865.tif 000010
【図９】
2013126865.tif 000011
【図１０】
2013126865.tif 000012
【外国語明細書】
2013126865000001.pdf
2013126865000002.pdf
2013126865000003.pdf
2013126865000004.pdf